(57)【要約】【課題】ジグザグ状縦線障害の補正における調整作業を容易かつ正確に行うことができる映像表示装置を提供することである。【解決手段】クロック変調回路により画面５００上の往路の走査線および復路の走査線における対応する画素の水平方向の位置ずれｄＨを補正するために第２のＰＬＬ回路により生成されるクロック信号ＣＫ２の周波数が変調される。映像マスク回路により画面５００上の第１の領域に往路の走査線の映像信号に基づく画素ＴＬを表示しかつ復路の走査線の映像信号に基づく画素ＲＬを表示せず、第１の領域と垂直方向に隣接する第２の領域に復路の走査線の映像信号に基づく画素ＲＬを表示しかつ往路の走査線の映像信号に基づく画素ＴＬを表示しないようにメモリから読み出される映像信号が処理される。【選択図】        図５
2004279850.tif 000002
【特許請求の範囲】
【請求項１】
画面上に走査線を往復偏向させて映像信号に基づく映像を表示する映像表示装置であって、
前記映像信号を記憶するための記憶手段と、
往路および復路の走査に対応する映像信号を前記記憶手段に書き込むための第１のクロック信号を生成する第１のクロック生成手段と、
往路および復路の走査に対応する映像信号を前記記憶手段から読み出すための第２のクロック信号を生成する第２のクロック生成手段と、
前記記憶手段から読み出された映像信号に基づく電子ビームを前記画面上に照射することにより前記映像信号を映像として表示する表示手段と、
前記表示手段の電子ビームを水平方向に往復偏向させて前記画面上に往路および復路の走査線を形成する水平偏向コイルと、
前記画面上の往路の走査線および復路の走査線における対応する画素の水平方向の位置ずれを補正するために前記第２のクロック生成手段により生成される前記第２のクロック信号の周波数を変調するクロック変調手段と、
調整時に、前記画面上の第１の領域に往路の走査線の映像信号に基づく画素を表示しかつ復路の走査線の映像信号に基づく画素を表示せず、垂直方向において前記第１の領域と隣接する第２の領域に復路の走査線の映像信号に基づく画素を表示しかつ往路の走査線の映像信号に基づく画素を表示しないように前記記憶手段から読み出される映像信号を処理する処理手段とを備えたことを特徴とする映像表示装置。
【請求項２】
前記処理手段は、調整時に、前記記憶手段から前記画面上の第１の領域に表示されるべき往路の走査線の映像信号が読み出されているときに読み出された映像信号を前記表示手段に出力し、前記記憶手段から前記画面上の第１の領域に表示されるべき復路の走査線の映像信号が読み出されているときに所定の値を前記表示手段に出力し、前記記憶手段から前記画面上の第２の領域に表示されるべき復路の走査線の映像信号が読み出されているときに読み出された映像信号を前記表示手段に出力し、前記記憶手段から前記画面上の第２の領域に表示されるべき往路の走査線の映像信号が読み出されているときに所定の値を前記表示手段に出力することを特徴とする請求項１記載の映像表示装置。
【請求項３】
前記処理手段は、所定の能動化信号により能動化または不能化され、不能化時には、前記記憶手段から読み出される映像信号を前記表示手段に出力することを特徴とする請求項１記載の映像表示装置。
【請求項４】
前記クロック変調手段は、入力される補正量に基づいて前記第２のクロック生成手段により生成される前記第２のクロック信号の周波数を変調することを特徴とする請求項１〜３のいずれかに記載の映像表示装置。
【請求項５】
入力される補正量を記憶する補正量記憶手段をさらに備え、前記クロック変調手段は、前記補正量記憶手段に記憶された補正量に基づいて前記第２のクロック生成手段により生成される前記第２のクロック信号の周波数を変調することを特徴とする請求項４記載の映像表示装置。
【請求項６】
前記処理手段は、
往路の走査と復路の走査とを識別する走査識別信号を発生する走査識別信号発生手段と、
前記第１の領域と前記第２の領域とを識別する領域識別信号を発生する領域識別信号発生手段と、
調整時に、前記走査識別信号発生手段により発生される走査識別信号と前記領域識別信号発生手段により発生される領域識別信号とに基づいて前記画面上の第１の領域に往路を走査線の映像信号に基づく画素を表示しかつ復路の走査線の映像信号に基づく画素を表示せず、垂直方向において前記第１の領域と隣接する第２の領域に復路の走査線の映像信号に基づく画素を表示しかつ往路の走査線の映像信号に基づく画素を表示しないように前記記憶手段から読み出される映像信号を処理する映像信号処理手段とを含むことを特徴とする請求項１〜５のいずれかに記載の映像表示装置。
【発明の詳細な説明】
【０００１】
【発明の属する技術分野】
本発明は、表示画面上に電子ビームを往復走査させる往復偏向回路を備えた映像表示装置に関する。
【０００２】
【従来の技術】
陰極線管（以下、ＣＲＴという）ディスプレイ装置等の映像表示装置の分野では、高精細画像の表示に適した往復偏向回路の使用が提案されている。この往復偏向システムは、水平偏向コイルを用いて電子ビームを往復に走査するための装置である。往復偏向システムは、水平偏向コイルが等価的にインダクタンス成分とそれに直列に接続された抵抗成分とを有しているため、垂直に一列に並ぶべき画素が往路の走査と復路の走査との間で水平方向にずれる場合がある。
【０００３】
図６は水平偏向コイルに流れる水平偏向電流の経時変化を説明するための図である。また、図７は図６に示す水平偏向電流の電流波形に対応した表示画面の状態を説明するための図である。なお、図７において水平方向をｘ座標と呼び、垂直方向をｙ座標と呼ぶ。
【０００４】
図６（ａ）には、水平偏向電流の理想的な電流波形が示されている。図６（ａ）に示す状態においては、電子ビームの往路の走査期間Ｔ１の長さと復路の走査期間Ｔ２の長さとが一致し、往路走査および復路走査で電流が０になる時点ｔ１，ｔ２がそれぞれ走査期間Ｔ１，Ｔ２の中間点と一致している。そのため、図７（ａ）に示すように、垂直に一列に並ぶべき画素が往路走査および復路走査において同一ｘ座標上に表示される。例えば、往路走査および復路走査において、それぞれ、図７（ａ）の画面水平方向の中央の画素ｅ１，ｅ２の表示位置が同一ｘ座標上にくる。
【０００５】
図６（ｂ）には、水平偏向コイルの抵抗成分による歪みを有する電流波形が示されている。図６（ｂ）に示す状態においては、往路の走査期間Ｔ３の長さと復路の走査期間Ｔ４の長さとが一致しているが、往路および復路の走査期間Ｔ３，Ｔ４の中間点ｔ４，ｔ６と水平偏向電流が０になる時点ｔ３，ｔ５とは一致しない。そのため、図７（ｂ）に示すように、垂直に一列に並ぶべき画素が往路走査および復路走査においてジグザグにずれるジグザグ状縦線障害を生じる。例えば、往路走査および復路走査において、それぞれ、図７（ｂ）の画面水平方向の中央の画素ｅ１，ｅ２の表示位置のｘ座標が異なる。
【０００６】
そこで、このようなジグザグ状縦線障害を防止するために、クロック変調により往路の走査における画素の表示位置と復路の走査における画素の表示位置とのずれを補正する偏向装置が提案されている（例えば、特許文献１および２参照）。このような偏向装置では、書き込みクロック信号に応答してメモリにデジタル映像信号を書き込み、読み出しクロック信号に応答してメモリからデジタル映像信号を読み出す。この場合、読み出しクロック信号の周波数を変調することにより往路の走査または復路の走査でデジタル映像信号の読み出しタイミングを制御し、往路の走査における画素の表示位置と往路の走査における画素の表示位置とを水平方向において一致させることができる。
【０００７】
【特許文献１】
特開平８−１７２５４３号公報
【特許文献２】
特開２０００−３４１５５２号公報
【０００８】
【発明が解決しようとする課題】
上記のような往路の走査における画素の表示位置と復路の走査における画素の表示位置とのずれ量は、水平偏向コイルの抵抗成分の大きさによって異なり、映像表示装置ごとにばらつきがある。
【０００９】
そこで、製造工程において、作業者が映像表示装置ごとに画素の表示位置のずれ量を検査し、ずれ量に応じてクロック変調による補正量を調整する必要がある。この場合、作業者が画面に表示される縦線を目視して縦線がジグザグ状から直線状に修正されるようにクロック変調による補正量を調整する。しかしながら、ジグザグ状の縦線が正確に直線状に修正されたことを認識することは困難であり、このような調整には高度な熟練が必要であり、多くの調整時間がかかる。
【００１０】
本発明の目的は、ジグザグ状縦線障害の補正における調整作業を容易かつ正確に行うことができる映像表示装置を提供することである。
【００１１】
【課題を解決するための手段】
（１）第１の発明
本発明に係る映像表示装置は、画面上に走査線を往復偏向させて映像信号に基づく映像を表示する映像表示装置であって、映像信号を記憶するための記憶手段と、往路および復路の走査に対応する映像信号を記憶手段に書き込むための第１のクロック信号を生成する第１のクロック生成手段と、往路および復路の走査に対応する映像信号を記憶手段から読み出すための第２のクロック信号を生成する第２のクロック生成手段と、記憶手段から読み出された映像信号に基づく電子ビームを画面上に照射することにより映像信号を映像として表示する表示手段と、表示手段の電子ビームを水平方向に往復偏向させて画面上に往路および復路の走査線を形成する水平偏向コイルと、画面上の往路の走査線および復路の走査線における対応する画素の水平方向の位置ずれを補正するために第２のクロック生成手段により生成される第２のクロック信号の周波数を変調するクロック変調手段と、調整時に、画面上の第１の領域に往路の走査線の映像信号に基づく画素を表示しかつ復路の走査線の映像信号に基づく画素を表示せず、垂直方向において第１の領域と隣接する第２の領域に復路の走査線の映像信号に基づく画素を表示しかつ往路の走査線の映像信号に基づく画素を表示しないように記憶手段から読み出される映像信号を処理する処理手段とを備えたものである。
【００１２】
第１の発明に係る映像表示装置においては、第１のクロック生成手段により発生される第１のクロック信号に応答して映像信号が記憶手段に書き込まれ、第２のクロック生成手段により生成される第２のクロック信号に応答して映像信号が記憶手段から読み出される。記憶手段から読み出された映像信号に基づく電子ビームが画面上に照射され、表示手段により映像として表示される。この場合、水平偏向コイルにより電子ビームが水平方向に往復偏向されて画面上に往路および復路の走査線が形成される。クロック変調手段により画面上の往路の走査線および復路の走査線における対応する画素の水平方向の位置ずれを補正するために第２のクロック生成手段により生成される第２のクロック信号の周波数が変調される。それにより、記憶手段からの映像信号の読み出しタイミングが制御され、画面上における画素の表示位置が制御される。
【００１３】
調整時には、処理手段により画面上の第１の領域に往路の走査線の映像信号に基づく画素を表示しかつ復路の走査線の映像信号に基づく画素を表示せず、第１の領域と垂直方向に隣接する第２の領域に復路の走査線の映像信号に基づく画素を表示しかつ往路の走査線の映像信号に基づく画素を表示しないように記憶手段から読み出される映像信号が処理される。
【００１４】
それにより、画面上に縦線を表示した場合に、第１の領域に往路の走査による直線状の縦線が表示され、第２の領域に復路の走査による直線状の縦線が表示される。したがって、第１の領域に表示される縦線の端部と第２の領域に表示される縦線の端部とのずれに基づいて、往路の走査による画素の表示位置と復路の走査による画素の表示位置とのずれを容易かつ正確に認識することができる。したがって、高度な熟練を必要とすることなく、短時間で正確にジグザグ状縦線障害を補正することができる。その結果、製造コストおよび製造時間が低減される。
【００１５】
（２）第２の発明
第２の発明に係る映像表示装置は、第１の発明に係る映像表示装置の構成において、処理手段は、調整時に、記憶手段から画面上の第１の領域に表示されるべき往路の走査線の映像信号が読み出されているときに読み出された映像信号を表示手段に出力し、記憶手段から画面上の第１の領域に表示されるべき復路の走査線の映像信号が読み出されているときに所定の値を表示手段に出力し、記憶手段から画面上の第２の領域に表示されるべき復路の走査線の映像信号が読み出されているときに読み出された映像信号を表示手段に出力し、記憶手段から画面上の第２の領域に表示されるべき往路の走査線の映像信号が読み出されているときに所定の値を表示手段に出力するものである。
【００１６】
それにより、第１の領域には往路の走査線の映像信号に基づく画素を表示し、第２の領域には復路の走査線の映像信号に基づく画素を表示させることができる。
【００１７】
（３）第３の発明
第３の発明に係る映像表示装置は、第１の発明に係る映像表示装置の構成において、処理手段は所定の能動化信号により能動化または不能化され、不能化時には、記憶手段から読み出される映像信号を表示手段に出力するものである。
【００１８】
この場合、所定の能動化信号により、処理手段を能動化または不能化することができる。したがって、調整時に処理手段を能動化させることにより、ジグザグ状縦線障害を短時間で正確に補正することができる。また、非調整時に処理手段を不能化することにより、通常の映像信号に基づく映像が表示手段により画面上に表示される。さらに、能動化信号により処理手段を能動化することによりジグザグ状縦線障害の再調整を行うことができる。
【００１９】
（４）第４の発明
第４の発明に係る映像表示装置は、第１〜第３のいずれかの発明に係る映像表示装置において、クロック変調手段は、入力される補正量に基づいて第２のクロック生成手段により生成される第２のクロック信号の周波数を変調するものである。
【００２０】
この場合、入力される補正量に基づいて第２のクロック信号の周波数を変調することができる。したがって、作業者は、画面上に縦線を表示し、第１の領域に表示される縦線の端部と第２の領域に表示される縦線の端部とが一致するように、入力する補正量を調整することにより、ジグザグ状縦線障害を容易かつ正確に補正することができる。
【００２１】
（５）第５の発明
第５の発明に係る映像表示装置は、第４の発明に係る映像表示装置の構成において、入力される補正量を記憶する補正量記憶手段をさらに備え、クロック変調手段は、補正量記憶手段に記憶された補正量に基づいて第２のクロック生成手段により生成される第２のクロック信号の周波数を変調するものである。
【００２２】
この場合、補正量記憶手段に記憶された補正量に基づいて第２のクロック信号の周波数が変調される。したがって、補正量記憶手段に記憶される補正量を修正することにより、ジグザグ状縦線障害の補正後に再調整を行うことができる。
【００２３】
（６）第６の発明
第６の発明に係る映像表示装置は、第１〜第５のいずれかの発明に係る映像表示装置の構成において、処理手段は、往路の走査と復路の走査とを識別する走査識別信号を発生する走査識別発生手段と、第１の領域と第２の領域とを識別する領域識別信号を発生する領域識別信号発生手段と、調整時に、走査識別信号発生手段により発生される走査識別信号と領域識別信号発生手段により発生される領域識別信号とに基づいて画面上の第１の領域に往路の走査線の映像信号に基づく画素を表示しかつ復路の走査線の映像信号に基づく画素を表示せず、垂直方向において第１の領域と隣接する第２の領域に復路の走査線の映像信号に基づく画素を表示しかつ往路の走査線の映像信号に基づく画素を表示しないように記憶手段から読み出される映像信号を処理する映像信号処理手段とを含むものである。
【００２４】
この場合、走査識別発生手段により往路の走査と復路の走査とを識別する走査識別信号が発生され、領域識別信号発生手段により第１の領域と第２の領域とを識別する領域識別信号が発生され、走査識別信号と領域識別信号とに基づいて、画面上の第１の領域に往路の走査線の映像信号に基づく画素が表示されかつ復路の走査線の映像信号に基づく画素が表示されず、第２の領域に復路の走査線の映像信号に基づく画素が表示されかつ往路の走査線の映像信号に基づく画素が表示されない。それにより、領域識別信号により第１の領域と第２の領域とを任意に変更することができる。したがって、画面上の任意の位置でジグザグ状縦線障害の補正における調整を行うことができる。
【００２５】
【発明の実施の形態】
以下、本発明の一実施の形態に係る映像表示装置について説明する。
【００２６】
図１は本発明の一実施の形態に係る映像表示装置の構成を示すブロック図である。
【００２７】
図１の映像表示装置は、映像信号処理回路１、色信号処理回路２、同期信号分離回路３、垂直偏向回路４、水平偏向回路５および陰極線管（以下ＣＲＴと呼ぶ。）６を含む。ＣＲＴ６には、垂直偏向回路４の垂直偏向ヨークＬＶおよび水平偏向回路５の水平偏向ヨークＬＨが取り付けられている。
【００２８】
図１の映像信号処理回路１および同期信号分離回路３には、映像信号ＴＶが入力される。
【００２９】
同期信号分離回路３は、入力された映像信号ＴＶから垂直同期信号Ｖおよび水平同期信号Ｈを分離する。同期信号分離回路３は、分離した垂直同期信号Ｖおよび水平同期信号Ｈを映像信号処理回路１に与える。また、同期信号分離回路３は、分離した垂直同期信号Ｖを垂直偏向回路４に与え、分離した水平同期信号Ｈを水平偏向回路５に与える。
【００３０】
映像信号処理回路１には、外部（例えば、作業者）からずれ量ＺＲおよび往復マスク領域情報ＭＩが入力される。映像信号処理回路１は、同期信号分離回路３より与えられる垂直同期信号Ｖおよび水平同期信号Ｈと、外部より入力される走査ずれ量ＺＲおよび往復マスク領域情報ＭＩとに応じて、入力された映像信号ＴＶに対して後述する処理を行い、処理後の映像信号ＶＭを色信号処理回路２に与える。この映像信号処理回路１の詳細については後述する。
【００３１】
色信号処理回路２は、映像信号処理回路１より与えられた映像信号ＶＭから色差信号（Ｉ、Ｑ）および輝度信号Ｙを分離し、さらに色差信号（Ｉ、Ｑ）および輝度信号Ｙより色信号を再生し、表示信号ＶｏとしてＣＲＴ６に与える。
【００３２】
垂直偏向回路４は、同期信号分離回路３より与えられる垂直同期信号Ｖを用いてＣＲＴ６に取り付けられた垂直偏向ヨークＬＶに垂直偏向電流を与える。一方、水平偏向回路５は、同期信号分離回路３より与えられる水平同期信号Ｈに応じてＣＲＴ６に取り付けられた水平偏向ヨークＬＨに水平偏向電流を与える。
【００３３】
ＣＲＴ６においては、垂直偏向回路４の垂直偏向ヨークＬＶおよび水平偏向回路５の水平偏向ヨークＬＨの働きにより電子ビームが走査され、色信号処理回路２により与えられる原色信号Ｖｏに基づく映像が表示される。
【００３４】
次いで、図１の映像信号処理回路１の詳細について説明する。図２は図１の映像信号処理回路１の構成を示すブロック図である。
【００３５】
図２の映像信号処理回路１は、第１のＰＬＬ（位相同期ループ：Ｐｈａｓｅ  Ｌｏｃｋ  Ｌｏｏｐ）回路２１、第２のＰＬＬ（位相同期ループ：Ｐｈａｓｅ  Ｌｏｃｋ  Ｌｏｏｐ）回路２２、クロック変調回路２３、Ａ／Ｄ（アナログ／デジタル）変換器２４、メモリ２５、第１走査線アイデント制御回路２６、書き込み制御回路２７、読み出し制御回路２８、映像マスク回路２９、第２走査線アイデント制御回路３０、Ｄ／Ａ（デジタル／アナログ）変換器３１、ずれ量設定部３２、ずれ量記憶部３３およびクロック調整回路３４を含む。
【００３６】
第１のＰＬＬ回路２１には、図１の同期信号分離回路３より水平同期信号Ｈが入力される。第１のＰＬＬ回路２１は、水平同期信号Ｈに応じて第１のクロック信号ＣＫ１および第１の水平同期信号Ｈ１を生成する。この第１の水平同期信号Ｈ１は、第１のＰＬＬ回路２１の分周器（図示せず）より出力される。第１のＰＬＬ回路２１は、生成した第１のクロック信号ＣＫ１をＡ／Ｄ変換器２４および書き込み制御回路２７に与えるとともに、第１の水平同期信号Ｈ１を第１走査線アイデント制御回路２６および書き込み制御回路２７に与える。
【００３７】
一方、ずれ量設定部３２には、外部より往復走査のずれ量ＺＲが補正量として入力される。ずれ量設定部３２は、ずれ量ＺＲをずれ量記憶部３３に与える。ずれ量記憶部３３は、例えば不揮発性メモリからなり、ずれ量ＺＲを記憶するとともにクロック変調回路２３に与える。
【００３８】
クロック変調回路２３は、ずれ量記憶部３３より与えられるずれ量ＺＲに基づいて変調波形ＴＣＫを生成する。
【００３９】
第２のＰＬＬ回路２２には、図１の同期信号分離回路３より水平同期信号Ｈが与えられ、クロック変調回路２３より変調波形ＴＣＫが与えられる。
【００４０】
第２のＰＬＬ回路２２は、水平同期信号Ｈおよび変調波形ＴＣＫより第２のクロック信号ＣＫ２および第２の水平同期信号Ｈ２を生成する。ここで、第２のＰＬＬ回路２２は、電圧制御発振器、分周期、位相比較器、ループフィルタおよび加算器を有する。ループフィルタの出力および変調波形ＴＣＫが加算器に入力され加算器の出力が電圧制御発振器に与えられる。第２の水平同期信号Ｈ２は、第２のＰＬＬ回路２２の分周器より出力される。
【００４１】
第２のＰＬＬ回路２２は、生成した第２のクロック信号ＣＫ２を読み出し制御回路２８およびＤ／Ａ変換器３１に与えるとともに、生成した第２の水平同期信号Ｈ２を読み出し制御回路２８に与える。
【００４２】
また、第１走査線アイデント制御回路２６は、第１のＰＬＬ回路２１より与えられる第１の水平同期信号Ｈ１に応じて、第１のアイデント制御信号ＡＳ１を生成し、書き込み制御回路２７、読み出し制御回路２８および映像マスク回路２９に与える。ここで、第１のアイデント制御信号ＡＳ１とは、各走査線が往路の走査線であるか復路の走査線であるかを識別する信号であり、例えば、往路の走査線の場合には１を示し、復路の走査線の場合には０を示す。
【００４３】
書き込み制御回路２７は、第１のＰＬＬ回路２１より与えられる第１のクロック信号ＣＫ１および第１の水平同期信号Ｈ１ならびに第１の走査線アイデント制御回路２６より与えられる第１のアイデント制御信号ＡＳ１に応じて、書き込みクロックパルスＷＣＫおよび書き込みアドレス信号ＷＡＤを生成し、メモリ２５に与える。また、書き込み制御回路２７は、第１の水平同期信号Ｈ１を読み出し制御回路２８に与える。
【００４４】
読み出し制御回路２８は、第２のＰＬＬ回路２２より与えられる第２のクロック信号ＣＫ２および第２の水平同期信号Ｈ２、書き込み制御回路２７より与えられる第１の水平同期信号Ｈ１ならびに第１走査線アイデント制御回路２６より与えられる第１のアイデント制御信号ＡＳ１に応じて、読み出しクロックパルスＲＣＫおよび読み出しアドレス信号ＲＡＤを生成しメモリ２５に与える。
【００４５】
一方、Ａ／Ｄ変換器２４には、アナログの映像信号ＴＶが入力される。Ａ／Ｄ変換器２４は、第１のＰＬＬ回路２１より与えられる第１のクロック信号ＣＫ１に応じて映像信号ＴＶをアナログ−デジタル変換し、デジタル映像信号をメモリ２５に与える。
【００４６】
メモリ２５は、書き込み制御回路２７より与えられる書き込みクロックパルスＷＣＫに応答してＡ／Ｄ変換器２４より与えられるデジタル映像信号を書き込みアドレス信号ＷＡＤにより指定されるアドレスに格納し、読み出し制御回路２８より与えられる読み出しクロックパルスＲＣＫに応答して読み出しアドレス信号ＲＡＤにより指定されるアドレスからデジタル映像信号を読み出して映像マスク回路２９に出力する。
【００４７】
ここで、読み出し制御回路２８は、１水平走査期間ごとにメモリ２５におけるデジタル映像信号の書き込み順序と読み出し順序との関係が反転するように読み出しアドレス信号ＲＡＤを変化させる。例えば、往路の水平走査期間では、メモリ２５へのデジタル映像信号の書き込み順序と同じ順序でメモリ２５からデジタル映像信号が読み出され、復路の水平走査期間では、メモリ２５へのデジタル映像信号の書き込み順序とは逆の順序でメモリ２５からデジタル映像信号が読み出される。このメモリ２５より読み出されるデジタル映像信号の具体例については後述する。
【００４８】
一方、第２の走査線アイデント制御回路３０には、図１の同期信号分離回路３より垂直同期信号Ｖが与えられるとともに、外部から往復マスク領域情報ＭＩが入力される。ここで、往復マスク領域情報ＭＩとは、往路の走査線のマスク領域と復路の走査線のマスク領域との比率を示す信号である。
【００４９】
第２の走査線アイデント制御回路３０は、垂直同期信号Ｖおよび往復マスク領域情報ＭＩに基づいて第２のアイデント制御信号ＡＳ２を生成し、映像マスク回路２９に与える。また、第２のアイデント信号ＡＳ２とは、往路および復路の走査線のマスク領域を示す信号であり、例えば、往路の走査線のマスク領域の場合には１となり、復路の走査線のマスク領域の場合には０となる。
【００５０】
映像マスク回路２９は、第１走査線アイデント制御回路２６より与えられる第１のアイデント制御信号ＡＳ１および第２の走査線アイデント制御回路３０より与えられる第２のアイデント制御信号ＡＳ２に応じてメモリ２５より与えられるデジタル映像信号のマスク処理を行い、マスク処理されたデジタル映像信号をＤ／Ａ変換器３１に与える。この映像マスク回路２９のマスク処理の詳細については後述する。この映像マスク回路２９は、能動化信号ＡＣＴにより能動化および不能化に切替えられる。例えば、能動化信号ＡＣＴが１の場合に、映像マスク回路２９が能動化され、後述するマスク処理を行う。一方、能動化信号ＡＣＴが０の場合には、映像マスク回路２９は不能化され、マスク処理を行わずにメモリ２５から読み出されるデジタル映像信号をそのままＤ／Ａ変換器３１に出力する。製造工程における調整作業時に能動化信号ＡＣＴが１に設定され、調整作業の終了後に能動化信号ＡＣＴは０に固定される。
【００５１】
Ｄ／Ａ変換器３１は、映像マスク回路２９より与えられるデジタル映像信号を第２のＰＬＬ回路２２より与えられる第２のクロック信号ＣＫ２に応じてデジタル−アナログ変換し、アナログの映像信号ＶＭを出力する。
【００５２】
次いで、図２の映像マスク回路２９の動作の詳細について説明する。図３は図２の映像信号処理回路１の各部における映像信号の一部を示す模式図である。
【００５３】
図３（ａ）はメモリ２５に書き込まれるデジタル映像信号の一部を示し、図３（ｂ）はメモリ２５より読み出されるデジタル映像信号を示し、図３（ｃ）は第１走査線アイデント制御回路２６により生成される第１のアイデント制御信号ＡＳ１を示し、図３（ｄ）は第２走査線アイデント制御回路３０により生成される第２のアイデント制御信号ＡＳ２を示し、図３（ｅ）は映像マスク回路２９によりマスク処理されたデジタル映像信号を示す。
【００５４】
まず、図２のメモリ２５に書き込まれるデジタル映像信号は、７２０ラインのプレグレッシブ走査方式の映像信号とする。なお、以下の説明では、７２０ラインのデジタル映像信号のうち、図３（ａ）に示す３５６ライン目のデジタル映像信号から３６３ライン目のデジタル映像信号を抽出して説明する。
【００５５】
本例では、偶数ラインのデジタル映像信号を往路の走査のデジタル映像信号とし、奇数ラインのデジタル映像信号を復路の走査のデジタル映像信号とする。
【００５６】
メモリ２５には、図３（ａ）に示すように、３５６ライン目のデジタル映像信号３５６Ｔ、３５７ライン目のデジタル映像信号３５７Ｒ、３５８ライン目のデジタル映像信号３５８Ｔ、３５９ライン目のデジタル映像信号３５９Ｒ、３６０ライン目のデジタル映像信号３６０Ｔ、３６１ライン目のデジタル映像信号３６１Ｒ、３６２ライン目のデジタル映像信号３６２Ｔおよび３６３ライン目のデジタル映像信号３６３Ｒの順に書き込まれる。
【００５７】
図３（ｂ）において、“１”〜“ｎ”は各ラインの１番目〜ｎ番目のデジタル映像信号を示す。すなわち、偶数ラインでは、１番目〜ｎ番目の順にデジタル映像信号が読み出され、奇数ラインでは、ｎ番目〜１番目の順にデジタル映像信号が読み出される。例えば、３５６ライン目の映像信号３５６Ｔは、書き込み順序と同じ順序で読み出され、３５７ライン目の映像信号３５７Ｒは、書き込み順序と逆の順序で読み出される。同様に、偶数ラインのデジタル映像信号３５８Ｔ，３６０Ｔ，３６２Ｔは、書き込み順序と同じ順序で読み出され、奇数ラインのデジタル映像信号３５７Ｒ，３５９Ｒ，３６１Ｒ，３６３Ｒは、書き込み順序と逆の順序で読み出される。
【００５８】
次いで、図３（ｃ）に示すように、第１のアイデント制御信号ＡＳ１は、往路の走査の場合は１を示し、復路走査の場合は０を示す。
【００５９】
また、往復マスク領域情報ＭＩが１の場合には、往路の走査線のマスク領域と復路の走査線のマスク領域との比が１となる。それにより、本例では、図３（ｄ）に示すように、第２の走査線アイデント信号ＡＳ２は、０ライン目のデジタル映像信号から３６０ライン目のデジタル映像信号が読み出されているときに１となり、３６１ライン目のデジタル映像信号から７２０ライン目のデジタル映像信号が読み出されているときに０となる。
【００６０】
映像マスク回路２９は、図３（ｃ）および図３（ｄ）に示す第１のアイデント制御信号ＡＳ１および第２のアイデント制御信号ＡＳ２に基づいてメモリ２５より読み出されたデジタル映像信号のマスク処理を行うか否かを判定し、判定結果に応じてマスク処理を行う。
【００６１】
映像マスク回路２９は、排他的論理和回路からなり、図３（ｃ）の第１のアイデント制御信号ＡＳ１の値と図３（ｄ）の第２のアイデント制御信号ＡＳ２の値とが一致する場合にメモリ２５から読み出されるデジタル映像信号を出力し、第１のアイデント制御信号ＡＳ１の値と第２のアイデント制御信号ＡＳ２の値とが異なる場合にメモリ２５から読み出されるデジタル映像信号にマスク処理を行う。ここで、マスク処理とは、メモリ２５から読み出されるデジタル映像信号を出力せずに黒レベルの値（例えば０）を出力することをいう。
【００６２】
例えば、映像マスク回路２９は、第１のアイデント制御信号ＡＳ１が１を示しかつ第２のアイデント制御信号ＡＳ２が１を示す場合、メモリ２５から読み出されるデジタル映像信号をそのまま出力し、第１のアイデント制御信号ＡＳ１が０を示しかつ第２のアイデント制御信号ＡＳ２が１を示す場合、メモリ２５から読み出されるデジタル映像信号に対してマスク処理を行う。その結果、図３（ｅ）に示すように、３５６ライン目のデジタル映像信号３５６Ｔ、３５８ライン目のデジタル映像信号３５８Ｔおよび３６０ライン目のデジタル映像信号３６０Ｔは、マスク処理されずにＤ／Ａ変換器３１に出力され、３５７ライン目のデジタル映像信号３５７Ｒおよび３５９ライン目のデジタル映像信号３５９Ｒは、マスク処理されてＤ／Ａ変換器３１に与えられない。
【００６３】
また、映像マスク回路２９は、第１のアイデント制御信号ＡＳ１が０を示しかつ第２アイデント制御信号ＡＳ２が０を示す場合、メモリ２５から読み出されるデジタル映像信号をそのまま出力し、第１のアイデント制御信号ＡＳ１が１を示しかつ第２アイデント制御信号ＡＳ２が０を示す場合、メモリ２５から読み出されるデジタル映像信号に対してマスク処理を行う。その結果、図３（ｅ）に示すように、３６１ライン目のデジタル映像信号３６１Ｒおよび３６３ライン目のデジタル映像信号３６３Ｒは、マスク処理されずにＤ／Ａ変換器３１に出力され、３６２ライン目のデジタル映像信号３６２Ｔは、マスク処理されてＤ／Ａ変換器３１に出力されない。
【００６４】
このようにして、０ライン目から３６０ライン目までのデジタル映像信号のうち、往路の走査線のデジタル映像信号が画面に表示され、復路の走査線のデジタル映像信号がマスク処理される。一方、３６１ライン目から７２０ライン目までのデジタル映像信号のうち往路の走査線のデジタル映像信号がマスク処理され、復路の走査線のデジタル映像信号が画面に表示される。
【００６５】
次に、図４は図２の映像マスク回路２９によるマスク処理を行わない場合のジグザグ状縦線障害の補正量の調整を示す図であり、図５は図２の映像マスク回路２９によるマスク処理を行った場合のジグザグ状縦線障害の補正量の調整を示す図である。
【００６６】
図４（ａ１）は各走査線の映像信号の中心に所定値の調整用画素を有する調整用映像信号を画面５００に表示させた状態を示し、図４（ａ２）は図４（ａ１）の画面５００に表示された調整用画素の一部を拡大した状態を示し、図４（ｂ１）は図４（ａ１）の調整用映像信号に基づいてジグザグ状縦線障害の補正量を調整した状態を示し、図４（ｂ２）は図４（ｂ１）の画面５００に表示された調整用画素の一部を拡大した状態を示す。
【００６７】
一方、図５（ａ１）は各走査線のデジタル映像信号の中心に所定値の調整用画素を有する調整用映像信号にマスク処理を行って画面５００に表示させた状態を示し、図５（ａ２）は図５（ａ１）の画面５００に表示された調整用画素の一部を拡大した状態を示し、図５（ｂ１）は図５（ａ１）の調整用映像信号に基づいてジグザグ状縦線障害の補正量を調整した状態を示し、図５（ｂ２）は図５（ｂ１）の画面５００に表示された調整用画素の一部を拡大した状態を示す。なお、図４（ａ２），（ｂ２）および図５（ａ２），（ｂ２）において、黒四角は画面５００に表示される調整用画素を示し、白四角はマスク処理により画面５００に表示されない調整用画素を示す。
【００６８】
マスク処理を行わない場合には、図４（ａ１）に示すように、ジグザグ状縦線障害により調整用画素が、ジグザグ線ＺＬで表示される。この場合、図４（ａ２）に示すように、往路の走査線の調整用画素と復路の走査線の調整用画素とが水平方向においてずれた位置に表示されている。往路の走査線の調整用画素と復路の走査線の調整用画素との水平方向におけるずれ量をｄＨとする。製造工程の作業者は、図４（ｂ１），（ｂ２）に示すように、画面５００上でずれ量ｄＨが０となるように、図２のずれ量設定部３２に入力するずれ量ＺＲを調整する。しかしながら、往路の走査線の調整用画素と復路の走査線の調整用画素とが交互に表示されるため、ずれ量ｄＨが０となっているか否かを目視で判断するためには高度な熟練が必要になるとともに、調整に長い時間を要する。
【００６９】
一方、マスク処理を行った場合には、図５（ａ１）に示すように、ジグザグ状縦線障害により調整用画素が、水平方向においてずれた位置に２本の縦線ＴＬ，ＴＲで表示される。この場合、図５（ａ２）に示すように、画面５００の上半分にはマスク処理により往路の走査線の調整用画素のみが表示され、画面の下半分にはマスク処理により復路の走査線の調整用画素のみが表示される。それにより、画面５００の上半分に往路の走査線の調整用画素により縦線ＴＬが表示され、画面５００の下半分に復路の走査線の調整用画素により縦線ＲＬが表示される。この画面５００に表示される縦線ＴＬの長さと縦線ＴＲの長さとの比率は、往復マスク領域情報ＭＩにより決定される。
【００７０】
製造工程の作業者は、図５（ａ１），（ａ２）に示すように、画面５００上でずれ量ｄＨが０となるように、図２のずれ量設定部３２に入力するずれ量ＺＲを調整する。この場合、往路の走査線の調整用画素により形成される縦線ＴＬの下端と復路の走査線の調整用画素により形成される縦線ＴＲの上端とが一致するようにずれ量ＺＲを調整することにより、容易かつ正確にずれ量ｄＨを０にすることができる。したがって、高度な熟練を必要とすることなく、短時間でジグザグ状縦線障害を補正することができる。その結果、製造コストおよび製造時間が低減される。
【００７１】
なお、往復マスク領域情報ＭＩを変更することにより、往路の走査線のマスク領域と復路の走査線のマスク領域との比を変更することができる。それにより、画面上の任意の位置でジグザグ状縦線障害の補正における調整を行うことができる。
【００７２】
本実施の形態においては、メモリ２５が記憶手段に相当し、第１のＰＬＬ回路２１が第１のクロック生成手段に相当し、第２のＰＬＬ回路２２が第２のクロック生成手段に相当し、ＣＲＴ６が表示手段に相当し、クロック変調回路２３がクロック変調手段に相当し、映像マスク回路２９が処理手段に相当し、ずれ量ＺＲが入力される補正量に相当し、ずれ量記憶部３３が補正量記憶手段に相当し、第１走査線アイデント制御回路２６が走査識別信号発生手段に相当し、第２走査線アイデント制御回路３０が領域識別信号発生手段に相当し、第１のアイデント制御信号ＡＳ１が走査識別信号に相当し、第２のアイデント制御信号ＡＳ２が領域識別信号に相当する。
【００７３】
【発明の効果】
本発明によれば、画面上に縦線を表示した場合に、第１の領域に往路の走査による直線状の縦線が表示され、第２の領域に復路の走査による直線状の縦線が表示される。したがって、第１の領域に表示される縦線の端部と第２の領域に表示される縦線の端部とのずれに基づいて、往路の走査による画素の表示位置と復路の走査による画素の表示位置とのずれを容易かつ正確に認識することができる。したがって、高度な熟練を必要とすることなく、短時間で正確にジグザグ状縦線障害を補正することができる。その結果、製造コストおよび製造時間が低減される。
【図面の簡単な説明】
【図１】本発明の一実施の形態に係る映像表示装置の構成を示すブロック図
【図２】図１の映像信号処理回路の構成を示すブロック図
【図３】図２の映像信号処理回路の各部における映像信号の一部を示す模式図
【図４】図２の映像マスク回路によるマスク処理を行わない場合のジグザグ状縦線障害の補正量の調整を示す図
【図５】図２の映像マスク回路によるマスク処理を行った場合のジグザグ状縦線障害の補正量の調整を示す図
【図６】水平偏向コイルに流れる水平偏向電流の経時変化を説明するための図
【図７】図６に示す水平偏向電流の電流波形に対応した表示画面の状態を説明するための図
【符号の説明】
１  映像信号処理回路
２  色信号処理回路
３  同期信号分離回路
４  垂直偏向回路
５  水平偏向回路
６  ＣＲＴ（陰極線管）
２１  第１のＰＬＬ回路
２２  第２のＰＬＬ回路
２３  クロック変調回路
２４  Ａ／Ｄ変換器
２５  メモリ
２６  第１走査線アイデント制御回路
２７  書き込み制御回路
２８  読み出し制御回路
２９  映像マスク回路
３０  第２走査線アイデント制御回路
３１  Ｄ／Ａ変換器
３２  ずれ量設定部
３３  ずれ量記憶部
【図１】
2004279850.tif 000003
【図２】
2004279850.tif 000004
【図３】
2004279850.tif 000005
【図４】
2004279850.tif 000006
【図５】
2004279850.tif 000007
【図６】
2004279850.tif 000008
【図７】
2004279850.tif 000009